(57)【特許請求の範囲】
【請求項１】
内側（ＬＩ）及び外側（ＬＥ）を有する靴（Ａ）であって：
−地面に面する第１の面（１１）、及び、反対側の面に面する第２の面（１２）を含むソール（１）；
−前記ソール（１）に配置される中間のソール（３）であって、或る長さ（Ｌ）、及び、前足部と踵との間の該中間のソール（３）の中央部分における最小幅（Ｌｍ）を有する、中間のソール（３）；
−前記中間のソール（３）に接合されるアッパー（２）；並びに
−前記中間のソール（３）に接合される補強インサート（４）であって：
−ユーザの足の足底の表面に接する、前記ユーザの足の踵とつま先との間に延びる中央長手方向部分（４１）；
−上方に傾くとともに、該靴（Ａ）の前記内側（ＬＩ）に配置される内方の外側ウイング（４２）であって、足の裏の内側縦アーチ（ＬＭ）に接するとともに結合するプロファイルが設けられる、内方の外側ウイング（４２）
を備え、
前記中間のソールの前記長さ（Ｌ）と前記最小幅（Ｌｍ）との比は、８．３よりも高く、前記中間のソールの前記最小幅（Ｌｍ）は、３７サイズを有する靴の場合は３ｃｍよりも小さく、
前記補強インサート（４）は、足の裏の外側縦アーチ（ＬＬ）に接するとともに接合するプロファイルが設けられる外方の外側ウイング（４３）を備え、
前記補強インサート（４）の前記内方の外側ウイング（４２）及び前記外方の外側ウイング（４３）は、該靴（Ａ）を着用する人に剛性のアーチサポートを与え、
前記補強インサート（４）は、前記ユーザの足のつま先に面する凹部を有する凹状の前縁（４４）を含み、それによって、前記補強インサート（４）が歩行中に前記ユーザの足によって押されると、前記補強インサート（４）は、前記２つの縁（４４、４５）においてより曲がることができ、その結果として、足が丸まると前記足のアーチ（ＬＭ、ＬＬ）に動的に追従する前記外側ウイング（４２、４３）を分離し、ユーザの体重が前記靴（Ａ）において静的に放たれるとすぐに固い支持を提供することを特徴とする、靴。
【請求項２】
靴（Ａ）であって、前記補強インサート（４）は炭素又は繊維複合材料から作られる、請求項１に記載の靴。
【請求項３】
靴（Ａ）であって、前記中間のソール（３）は、前足部の可撓性部分（３２）、及び、前記前足部から踵まで延びる剛性部分（３１）を含む、請求項１又は２に記載の靴。
【請求項４】
靴（Ａ）であって、前記中間のソール（３）の前記長さ（Ｌ）と前記最小幅（Ｌｍ）との前記比は１０〜１５である、請求項１〜３のいずれか一項に記載の靴。
【請求項５】
靴（Ａ）であって、前記補強インサート（４）の前記少なくとも１つの外側ウイング（４２、４３）は、下方に面する凹部を有する上側の曲線のある縁（Ｂ）を有し；前記少なくとも１つの外側ウイング（４２、４３）の前記上側の曲線のある縁（Ｂ）には、２つの端（Ｂ１、Ｂ２）が設けられ、該２つの端（Ｂ１、Ｂ２）において前記中央長手方向部分（４１）が接合される、請求項１〜４のいずれか一項に記載の靴。
【請求項６】
靴（Ａ）であって、前記補強インサート（４）は差別化された剛性を有する、請求項１〜５のいずれか一項に記載の靴。
【請求項７】
靴（Ａ）であって、前記中間のソール（３）に接合される上側端（５１）、及び、地面に接触するように適合されている下側端（５２）を有するヒール（５）を備え；前記補強インサート（４）は、前記ユーザの足の踵から中足まで延びる、請求項１〜６のいずれか一項に記載の靴。
【請求項８】
靴（Ａ）であって、前記補強インサート（４）は、前記ユーザの踵に面する凹部を有する凹状の後縁（４５）を含む、請求項１〜７のいずれか一項に記載の靴。
【請求項９】
靴（Ａ）であって、前記補強インサート（４）は、溶接又は接着によって前記中間のソール（３）に一体化される、請求項１〜８のいずれか一項に記載の靴。
【請求項１０】
靴（Ａ）であって、前記中間のソール（３）は少なくとも１つの金属長手方向補強体を備え、前記補強インサート（４）は前記中間のソール（３）と前記ソール（１）との間に介装される、請求項１〜８のいずれか一項に記載の靴。
【発明の詳細な説明】
【技術分野】
【０００１】
産業発明の本特許出願は、改良された靴に関する。
【背景技術】
【０００２】
本発明の靴は、履物の分野において長い間感じられていた必要性を満たすために考案された。時の経過とともに、靴は、美的に修正されることに加えて、最大限の快適さを提供するために、技術的−機能的な観点から改良されてきた。
【０００３】
身体のバランス及び正しい姿勢は、足、及び、足が接地する方法に依存するため、特別な注意が快適さの問題に払われるべきである。
【０００４】
既知のように、現在市場で見出される靴は、ユーザの足の特徴にほとんど合っておらず、靴を着用する最終的なユーザの足とは必然的に異なる標準的な足に合わせて設計されている。
【０００５】
この理由で、多くの場合に、可能な限り最良に靴に付着するように適合されている下側面、及び、ユーザの足が載る上側面を含むアーチサポートを使用する必要がある。
【０００６】
アーチサポートの目的は、標準的な靴の内部構造をカスタマイズすることである。しかし、アーチサポートが適切に作用するために、構造がしっかりしており、頑丈な靴が必要である。
【０００７】
靴を買うとき、ユーザはファッションのトレンドに従う傾向にあり、ユーザの足のアーチサポートを決定する靴の構造的な形態はほとんど気に掛けない。
【０００８】
構造がしっかりしており耐久性があるにもかかわらず、インナーソールはアーチサポートとして働くことができない。実際のところ、アーチサポートは、正しい足の支持、及び、重量負荷に晒される最大限の表面を保証するように、足のアーチサポート全体を維持するエンベロープ構造を有する。
【０００９】
いずれの場合も、アーチサポートは、歩行中の足の移動を検出するのに用いられる動的な分析、及び、負荷の分布の研究も用いて、専門家によって設計されなければならない。
【００１０】
個人のより多くの頻繁な正しくない姿勢がアーチサポートによって補正されることは、上述した課題の重要性を実証する。標準的な靴は、美的に望ましいことに加えて、ユーザの靴が悪影響のある姿勢を呈することを防止するために、アーチサポートを正しく維持しなければならない。
【００１１】
靴のタイプは、本発明の靴の革新的な構造によって提供される利点にとっての決定的な因子ではないが、本発明は、ユーザの足の位置に悪影響を及ぼすそれらの固有の構造を考慮して、女性のハイヒール靴の構造の批判的な観察から考案した。
【００１２】
そのようなタイプの靴では、ユーザの体重を、つま先又は踵に完全に放つことなく、正しく均一に分散させることが極めて重要である。
【００１３】
女性のハイヒール又はミッドヒール靴は：
−ソール；
−ソールに配置される中間のソール；
−折り曲げられて中間のソールの下に固定される下側外周縁を含むアッパー
を備える、「組み立てられた」靴の例である。
【００１４】
言い換えると、「組み立てられた」靴のアッパーの下側外周縁は、中間のソールとソールとの間で締め付けられて固定される。
【００１５】
そのような製造技術は、木又はプラスチックから作られる足模型からなる靴型の使用を提供する。まず、中間のソールを、ソールに対応して靴型に嵌め、次に、アッパーを嵌め、アイロンをかけ、折り曲げて、金属の釘又はステープルによって、中間のソールの縁の下にアッパーの下側外周縁を固定する。
【００１６】
中間のソールは、その主な機能が靴を固くすることであることを考えると、靴全体を剛性にするとともに、足に接触する中間のソールの表面の十分な剛性を提供する、長手方向の鋼補強体を備える。
【００１７】
このタイプの靴では、アッパーは概して、エンベロープ形状によって着用者の足を包囲することができるように、非常に薄い材料から作られる。
【００１８】
特に、布又は革製のアッパーが、中間のソールから上方に延び、外側及び内側のアーチサポートを含め、内側及び外側の双方において足を包囲する。
【００１９】
足に関して、以下が留意される：
−踵からつま先に進んで、内側縦アーチは、踵骨−接地し、足の裏の後方頂点を形成する踵骨粗面−踵骨に載る距骨、アーチの要である舟状骨、第１楔状骨、及び、頭部が接地して足の裏の内側頂点を形成する第５中足骨から構成され（縦アーチの生理学的高さは通常、１５ｍｍ〜１８ｍｍである）；
−後前方向図では、外側縦アーチは、踵骨、距骨、立方骨及び第５中足骨から構成される（アーチの最高点はおよそ３ｍｍ〜５ｍｍである）。
【００２０】
図１は、２つの上述したアーチ、すなわち、内側縦アーチ（ＬＭ）及び外側縦アーチ（ＬＬ）の投影を有する足の裏を示している。
【００２１】
ハイヒール又はミッドヒール靴には、２つのアーチ（ＬＭ及びＬＬ）に対応して、快適さを損なわず、着用者の足の幾何学的特徴に合わせて調整するために十分に可撓性であるが、足に必要な支持を提供しない、布又は革製のアッパーが専ら設けられる。
【００２２】
言い換えると、足に放たれる身体の体重全体が、実質的に平坦であるとともに足の唯一の支持面である、中間のソールの上面で分散される。
【００２３】
上記を考慮して、中間のソールには、剛性を高めるとともに、中間のソールへのヒールの完全な固定を保証するために、上述した金属補強体が多くの場合に設けられる。
【００２４】
明らかに、中間のソールは、組み付けられる靴のタイプに従ってより高いか又はより低い剛性を有する。
【００２５】
実際のところ、各タイプの靴は、ユーザの足の裏への体重の異なる分散を決定し：例えば、踵と前足部との間の高さの差に起因して、ハイヒール靴によって身体が前方に傾き、つま先に過負荷がかかり、一方で、ヒールのない靴は踵への過負荷を決定する。
【００２６】
その結果、ありとあらゆる中間のソールを、正しいアーチサポートを保証するために、それが用いられる靴の特定のタイプに従って、材料及び剛性に関してカスタマイズする必要がある。
【００２７】
上記を考慮して、各タイプの靴は、特定の中間のソールを作製することを必要とし、その剛性は、ユーザの特定の要求に従って組み立て中に変更することはできず、したがって快適さを損なう。
【００２８】
靴の内部に当て物をするとともにアッパーを補強するために適用、縫い付け又は印刷されるインサートを有する靴が、より良いアーチサポートを提供するために考案されている。
【００２９】
特許文献１は、靴を使用するときにアッパーが受ける変形を低減する縫い付けられた布によってアッパーの胴部が強化される靴、具体的には頑丈なブーツを開示している。
【００３０】
特許文献２は、靴に挿入されて接着剤で固定されるように適合されている支持体を開示しており；支持体の機能は、靴の内部に当て物をし、柔らかいフィットを提供することである。そのようなインサートは「中敷き」として一般的に既知である。たいていの場合、インサートは取り外し可能であり、靴の構造内には恒久的に固定されない。さらに、「中敷き」は中間のソール上に配置される。
【００３１】
特許文献３は、内側のアーチサポートを維持するように１つのみの剛性ウイングと協働する踵衝撃吸収要素を備える靴を開示している。
【００３２】
上記靴は：
−地面に面するように適合されている第１の面、及び、反対側の面に面するように適合されている第２の面を含むソール；
−ソールに配置される中間のソールであって、内側のアーチサポートを維持するように１つのみのウイングを含む、中間のソール；
−中間のソールに接合されるアッパー；
−ヒールに対応して中間のソールに配置される衝撃吸収要素
を備える。
【００３３】
中間のソールは、前足部に対応する可撓性部分、及び、前足部から踵まで延びる剛性部分から構成されることに留意しなければならず、支持要素が、中間のソールの上記剛性部分とワンピースで得られる。そのような支持要素は中間のソールに接合される。したがって、アーチサポートの維持にもかかわらず、アーチサポートは、歩行中に足の移動に動的に追従しない。
【００３４】
そのような構成は、靴の体積を低減せず、ウイングの外側位置は、特に歩行中に正しいアーチサポートを提供しない。
【００３５】
特許文献４は、着用者の足の振動を吸収するとともに足に対する負荷を低減する熱可塑性ゴムを収容するように上側凹部が設けられているアウトソールを備える靴を開示している。
【先行技術文献】
【特許文献】
【００３６】
【特許文献１】米国特許第２１４２８３９号
【特許文献２】米国特許第２０４０１４３号
【特許文献３】仏国特許第２６７８８１０号
【特許文献４】米国特許出願公開第２００７／２２７０４２号
【発明の概要】
【発明が解決しようとする課題】
【００３７】
本発明の主な目的は、多用途の、快適で、ユーザの足に正しいアーチサポートを保証することが可能であるとともに、美的感覚及び快適さを高めるために容易にカスタマイズ可能な改良された靴を考案することによって、従来技術の欠点を改善することである。
【００３８】
本発明の別の目的は、新たなタイプの靴を考案することであり、その構造は、靴が同じ長手方向の剛性で横断方向により高い弾性を有するように、最大限の人間工学、低い体積及びテーパ状の中間のソールによって、インサート及び／又はパッドを適用する必要なく、特徴付けられる。
【００３９】
中間のソールとワンピースで適用されるか又は製造されるインサートを有する靴が、アーチサポートを提供するために過去に考案されていることに留意しなければならない。インサートの目的は、中間のソールと協働することであり、その寸法は基本的に変わらないままである。中間のソールの剛性部分に言及すると、幅が踵からつま先まで僅かに減少し、中間のソールの可撓性部分と接合される前部分において大幅に増大する。
【００４０】
ヒールを有する３７サイズの女性用靴に使用されるような標準的な中間のソールの寸法に関して、中間のソールの最小幅は通常、３．７ｃｍよりも小さくない。３７サイズの女性用靴が２５ｃｍ±０．５ｃｍ長さの足を受け入れるように設計されていると考えると、上記３７サイズの中間のソールは、２５ｃｍよりも小さい全長を有するはずがない。上記を考慮して、中間のソールの長さと幅との比は、６．７５の最大値を有する。
【００４１】
本発明の目的は、３ｃｍよりも小さい、好ましくは１．８ｃｍ〜２．５ｃｍの最小幅、したがって、８．３よりも高い、好ましくは１０〜１５である長さと幅との比を有する、３７サイズの中間のソールを含む靴を考案することである。
【課題を解決するための手段】
【００４２】
本発明の靴には、内側及び外側が設けられ：
−地面に面する第１の面、及び、反対側の面に面する第２の面を含むソール；
−ソールに配置される中間のソールであって、前足部の可撓性部分、及び、前足部から踵まで延びる剛性部分を含み；当該中間のソールは、或る長さ及び剛性部分における最小幅を有する、中間のソール；
−中間のソールに接合されるアッパー
を備える。
【００４３】
中間のソールの長さと最小幅との比は８．３よりも高い。
【００４４】
靴は、中間のソールに接合されるとともに：
−ユーザの足の裏に接する、ユーザの足の踵とつま先との間に延びる中央長手方向部分；
−ユーザの足の両側を包囲するように、２つのアーチ（ＬＭ及びＬＬ）のうちの一方において靴の内側又は外側に配置される上方傾斜部を有する少なくとも１つの外側ウイング；
−ユーザの足のつま先に面する凹部を有する凹状の前縁
を備える、革新的な補強インサートを備える。
【００４５】
説明のために、専ら例示的であり限定する意図はない添付の図面を参照して、本発明による改良された靴の記載を続ける。
【図面の簡単な説明】
【００４６】
【図１】足の２つのアーチ（ＬＭ及びＬＬ）を表示する図である。
【図２】本発明の靴の不等角投影分解図である。
【図３】補強インサートの外側ウイングがアッパーによって外側を包囲される、本発明の靴の、組み立てられた状態の不等角投影図である。
【図４】補強インサートの外側ウイングがアッパーの外面に配置されている以外は、図３と同じ図である。
【図５】踵に面する凹部を有する縁が後方に設けられている補強インサート以外は、図２と同じ図である。
【図６】図４の靴の正面線図である。
【図７】補強インサートの側面図である。
【発明を実施するための形態】
【００４７】
図２及び図３を参照すると、靴（Ａ）には、内側（ＬＩ）及び外側（ＬＥ）が設けられており：
−地面に面する第１の面（１１）、及び、反対側の面に面する第２の面（１２）を含むソール（１）；
−ソール（１）に配置される中間のソール（３）であって、前足部の可撓性部分（３２）、及び、前足部から踵まで延びる剛性部分（３１）を含む、中間のソール（３）；
−折り曲げられて中間のソール（３）の下に固定される下側外周縁を含み、見えるままであるように適合されている外面（２１）が設けられているアッパー（２）；
−中間のソール（３）に接合される上側端（５１）、及び、地面に接触するように適合されている下側端（５２）を含むヒール（５）
を備える。
【００４８】
本発明の靴（Ａ）は、図２及び図５に示されているように、有利にはユーザの足の踵から中足まで延びて、中間のソール（３）に接合される、プレートとして形状決めされる補強インサート（４）を備える。
【００４９】
上記補強インサート（４）は、任意の好適な材料、好ましくは炭素又は革、強化段ボール、プラスチック又は薄い金属プレートから作ることができる。
【００５０】
より正確には、上記補強インサート（４）は、ソール（１）と中間のソール（３）との間に配置され、上記中間のソール（３）には有利には、上記剛性部分（３１）に対応して、中間のソール（３）に十分な剛性を与える、長手方向金属補強体（添付の図面には示されていないが、既知のタイプである）が設けられている。
【００５１】
代替的には、上記補強インサート（４）は、当該補強インサート（４）が金属から作られ、上記中間のソール（３）に長手方向金属インサートが設けられる場合に、溶接又は接着によって中間のソール（３）に一体化することができる。
【００５２】
換言すると、補強インサート（４）は中間のソール（３）に当接することができるか、又は、中間のソール（３）の長手方向金属インサートと一体化するか若しくは取って代わるように、中間のソール（３）に挿入することができる。
【００５３】
中間のソール（３）に接合される補強インサート（４）の使用は、靴をより強くすること、及び、図６に示されているように中間のソール（３）の剛性部分（３１）の幅をかなり低減することを可能にすることに留意しなければならない。
【００５４】
さらに、補強インサート（４）は、中間のソール（３）の厚さ及び重量を低減することを可能にし、これは、アッパーを組み付けるのに用いられる釘が取り外されたことを確実にするように従来のＸ線品質チェックを行うことを阻む金属長手方向インサートを奪うことができる。
【００５５】
そのようなＸ線品質チェックは、補強インサート（４）を組み付ける前に中間のソール（３）に固定されるアッパー（２）に対して行われる。
【００５６】
図２を参照すると、上記補強インサート（４）は：
−ユーザの足の踵とつま先との間に延びる、ユーザの足の裏に接する中央長手方向部分（４１）；
−上方に傾くとともに靴（Ａ）の内側及び外側にそれぞれ配置される２つの外側ウイング（４２、４３）
を備える。
【００５７】
補強インサート（４）の各外側ウイング（４２、４３）は、ユーザの足の側面の形態に調整するように可撓性材料から作られ、下方に面する凹部が設けられている上側の曲線のある縁（Ｂ）を含む。さらに、各外側ウイング（４２、４３）の上側の曲線のある縁（Ｂ）には、２つの端（Ｂ１、Ｂ２）が設けられ、上側の曲線のある縁（Ｂ）には、補強インサート（４）の上記中央長手方向部分（４１）が接合される。
【００５８】
各外側ウイング（４２、４３）は、ユーザの足の２つのアーチ（ＬＭ及びＬＬ）のうちの一方に配置されるように形状決めされる。
【００５９】
具体的には、本発明の靴（Ａ）は、図２に示されているように、靴（Ａ）の内側（ＬＩ）に配置される内方の外側ウイング（４２）、及び、靴（Ａ）の外側（ＬＥ）に配置される外方の外側ウイング（４３）を含む。
【００６０】
補強インサート（４）の内方の外側ウイング（４２）には、足の裏の内側縦アーチ（ＬＭ）に接するとともに結合するプロファイルが設けられ、一方で、上記外方の外側ウイング（４３）には、足の裏の外側縦アーチ（ＬＬ）に接するとともに結合するプロファイルが設けられる。
【００６１】
図２を参照すると、上記補強インサート（４）には、ユーザの足のつま先に面する凹部を有する前方凹状縁（４４）が設けられている。凹部は、中足関節に近接して、ユーザが歩行するときに長手方向に曲がることを必要とする補強インサート（４）の長手方向の剛性を低下させる。
【００６２】
図７を参照すると、横から見て、特に靴の外側において、前方凹状縁（４４）に、上方に面する長手方向凹部が設けられ；当該長手方向凹部の存在は、補強インサート（４）及び外側ウイング（４２、４３）の曲げを改善することに留意することができる。
【００６３】
図５に示されている本発明の好ましい実施形態によると、補強インサート（４）は、ユーザが歩行するときに靴（Ａ）がヒール（５）においてより高い長手方向の可撓性を有するように、ヒール（５）に面する凹部を有する後方凹状縁（４５）を有する。
【００６４】
好ましくは炭素又は繊維複合材料（異なる可撓性を有するナノ技術樹脂を含む凝集体）から作られる補強インサート（４）に選択される構造及び材料のために、補強インサート（４）の２つの外側ウイング（４２、４３）は、靴（Ａ）を着用するとともに長時間にわたって直立姿勢で立つ人に固いアーチサポートを与える。
【００６５】
前方凹状縁（４４）、及び、部分的には補強インサート（４）の後縁（４５）の凹部は、歩行中にユーザの足によって押されると上記２つの縁（４４、４５）においてより曲がることができる補強インサート（４）に長手方向の可撓性を与え、その結果として外側ウイング（４２、４３）を分離し；２つの外側ウイング（４２、４３）の分離のために、外側ウイング（４２、４３）が、足が丸まると足のアーチに動的に追従し、ユーザの体重が本発明の靴（Ａ）において静的に放たれるとすぐに固い支持を提供すると言える。
【００６６】
靴のタイプに従って、補強インサート（４）は、異なる材料、若しくは、異なる厚さを有する同じ材料を用いて、又は、２つの外側ウイング（４２、４３）を好適に寸法決めすることによって、異なるエリアにおいて異なる剛性を有することができる。
【００６７】
特に、補強インサート（４）は、靴の快適さを高めるために柔らかい弾性材料で有利にはコーティングされる、ユーザの足に接するように適合されている面を有する。
【００６８】
有利には、本発明の靴（Ａ）の補強インサート（４）は、炭素、ポリカーボネート又はプラスチック材料から作られ、木製の支持体上で圧延される。
【００６９】
上記補強インサート（４）が設けられるために、同じ中間のソール（３）を全てのタイプの靴（ハイヒール靴、パンプス、コンフォートシューズ、男性用靴等）に用いることができ、靴の剛性を、中間のソール（３）の下に適用される補強インサート（４）の剛性を調節することによって調整することができる。
【００７０】
靴を個別化するとともに本発明の靴（Ａ）の革新的な構造的な形態をすぐに見えるようにするために、補強インサート（４）は、接着又は縫い付けによってアッパー（２）の外面（２１）に配置され、したがって靴（Ａ）を着用するときに見えるままであり、ヒール（５）の傾斜及び高さを強調し、靴（Ａ）の美観を高める。
【００７１】
換言すると、補強インサート（４）は、アッパー（２）によって外側が包囲されるように、アッパー（２）を靴型に嵌める前に中間のソール（３）に接合することができ、アッパー（２）の下側外周縁は、図３に示されているように、折り曲げられて中間のソール（３）の下に固定される。
【００７２】
代替的には、補強インサート（４）は、アッパー（２）を靴型に嵌めた後で中間のソール（３）に接合することができる。上記を考慮して、補強インサート（４）の外側ウイング（４２、４３）は、図４に示されているように、靴（Ａ）の両側において見えるままである。
【００７３】
本発明はまた、上記で記載し、添付の図面に示されているような補強インサート（４）を含む中間のソール（３）に関する。
【図１】
0006620364.tif 000002
【図２】
0006620364.tif 000003
【図３】
0006620364.tif 000004
【図４】
0006620364.tif 000005
【図５】
0006620364.tif 000006
【図６】
0006620364.tif 000007
【図７】
0006620364.tif 000008